(57)【特許請求の範囲】
【請求項１】
複数のアプリケーションを備えた携帯装置が選択的に接続される、自動車に搭載された車載装置であって、
当該車載装置の前記携帯装置との接続の有無を検出する携帯装置接続検出部と、
前記自動車の状態を検出する自動車状態検出部と、
前記自動車の各状態に対して、当該状態における利用の蓋然性が高い前記アプリケーションとして予め選択した前記アプリケーションを登録したアプリケーション管理テーブルと、
当該車載装置に接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、
前記アプリケーション選択メニュー表示部が選択を受け付けたアイコンに対応するアプリケーションを前記携帯装置に起動させるアプリケーション起動制御部とを備え、
前記アプリケーション選択メニュー表示部は、前記携帯装置接続検出部が前記携帯装置との接続を検出しているときには、前記アプリケーション選択メニューとして、当該車載装置に接続された前記携帯装置が備える各アプリケーションのうちの、前記自動車状態検出部が検出している状態に対して前記アプリケーション管理テーブルに登録されているアプリケーションを優先アプリケーションとして、優先アプリケーションに対応するアイコンが、他のアプリケーションに対応するアイコンよりも優先して表示される形態、もしくは、強調して表示される形態の前記アプリケーション選択メニューを生成することを特徴とする車載装置。
【請求項２】
複数のアプリケーションを備えた携帯装置が選択的に接続される、自動車に搭載された車載装置であって、
当該車載装置の前記携帯装置との接続の有無を検出する携帯装置接続検出部と、
当該車載装置に接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、
前記アプリケーション選択メニュー表示部が選択を受け付けたアイコンに対応するアプリケーションを前記携帯装置に起動させるアプリケーション起動制御部とを備え、
前記アプリケーション選択メニュー表示部は、前記携帯装置接続検出部が前記携帯装置との接続を検出しているときには、前記アプリケーション選択メニューとして、当該車載装置に接続された前記携帯装置が備える各アプリケーションのうちの当該車載装置と連携した動作を行うアプリケーションを優先アプリケーションとして、優先アプリケーションに対応するアイコンが、他のアプリケーションに対応するアイコンよりも優先して表示される形態、もしくは、強調して表示される形態で前記アプリケーション選択メニューを表示することを特徴とする車載装置。
【請求項３】
請求項１または２記載の車載装置であって、
前記アプリケーション選択メニュー表示部は、前記携帯装置接続検出部が前記携帯装置との接続を検出しているときには、ユーザ操作に応じて順次表示される複数のページから構成された前記アプリケーション選択メニューを生成すると共に、前記優先アプリケーションに対応するアイコンを第１番目に表示される前記ページに配列し、前記優先アプリケーション以外の前記各アプリケーションに対応する各アイコンを、順次、第２番目以降に表示される各ページに配列することを特徴とする車載装置。
【請求項４】
請求項１または２記載の車載装置であって、
前記アプリケーション選択メニュー表示部は、前記携帯装置接続検出部が前記携帯装置との接続を検出しているときには、ユーザ操作に応じて順次表示される複数のページから構成された前記アプリケーション選択メニューを生成すると共に、前記優先アプリケーションに対応するアイコンを各ページに設けた所定の領域に共通に配置し、前記優先アプリケーション以外の前記各アプリケーションに対応する各アイコンを、順次、各ページの前記所定の領域以外の領域に配列することを特徴とする車載装置。
【請求項５】
複数のアプリケーションを備えた携帯装置が選択的に接続される、自動車に搭載された車載装置であって、
当該車載装置の前記携帯装置との接続の有無を検出する携帯装置接続検出部と、
当該車載装置に接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、
前記アプリケーション選択メニュー表示部が選択を受け付けたアイコンに対応するアプリケーションを前記携帯装置に起動させるアプリケーション起動制御部と、
当該車載装置に前記携帯装置が接続された状態で、当該携帯装置が備える各アプリケーションが使用された程度を表す使用レベルを、各アプリケーション毎に算出する使用レベル算出部とを備え、
前記アプリケーション選択メニュー表示部は、前記携帯装置接続検出部が前記携帯装置との接続を検出しているときには、前記アプリケーション選択メニューとして、当該車載装置に接続された前記携帯装置が備える各アプリケーションに対応するアイコンを、対応するアプリケーションの前記使用レベル算出部が算出した前記使用レベルが高い順に配列した前記アプリケーション選択メニューを表示することを特徴とする車載装置。
【請求項６】
請求項５記載の車載装置であって、
前記アプリケーション選択メニュー表示部は、前記携帯装置接続検出部が前記携帯装置との接続を検出しているときには、ユーザ操作に応じて順次表示される複数のページから構成された前記アプリケーション選択メニューを生成すると共に、前記各アプリケーションに対応するアイコンを、前記使用レベル算出部が算出した前記使用レベルが高い順に、順次、各ページに、より使用レベルが高いアプリケーションに対応するアイコンが、より前に表示されるページに配置されるように配列することを特徴とする車載装置。
【請求項７】
自動車に搭載され、複数のアプリケーションを備えた携帯装置が選択的に接続されるコンピュータによって読み取られ実行されるコンピュータプログラムであって、
当該コンピュータプログラムは、前記コンピュータを、
当該コンピュータの前記携帯装置との接続の有無を検出する携帯装置接続検出部と
前記自動車の状態を検出する自動車状態検出部と、
前記自動車の各状態に対して、当該状態における利用の蓋然性が高い前記アプリケーションとして予め選択した前記アプリケーションを登録したアプリケーション管理テーブルと、
当該コンピュータに接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、
前記アプリケーション選択メニュー表示部が選択を受け付けたアイコンに対応するアプリケーションを前記携帯装置に起動させるアプリケーション起動制御部として機能させ、
前記アプリケーション選択メニュー表示部は、前記携帯装置接続検出部が前記携帯装置との接続を検出しているときには、前記アプリケーション選択メニューとして、当該コンピュータに接続された前記携帯装置が備える各アプリケーションのうちの、前記自動車状態検出部が検出している状態に対して前記アプリケーション管理テーブルに登録されているアプリケーションを優先アプリケーションとして、優先アプリケーションに対応するアイコンが、他のアプリケーションに対応するアイコンよりも優先して表示される形態、もしくは、強調して表示される形態の前記アプリケーション選択メニューを生成することを特徴とするコンピュータプログラム。
【請求項８】
自動車に搭載され、複数のアプリケーションを備えた携帯装置が選択的に接続されるコンピュータによって読み取られ実行されるコンピュータプログラムであって、
当該コンピュータプログラムは、前記コンピュータを、
当該コンピュータの前記携帯装置との接続の有無を検出する携帯装置接続検出部と
当該コンピュータに接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、
前記アプリケーション選択メニュー表示部が選択を受け付けたアイコンに対応するアプリケーションを前記携帯装置に起動させるアプリケーション起動制御部として機能させ、
前記アプリケーション選択メニュー表示部は、前記携帯装置接続検出部が前記携帯装置との接続を検出しているときには、前記アプリケーション選択メニューとして、当該コンピュータに接続された前記携帯装置が備える各アプリケーションのうちの当該コンピュータと連携した動作を行うアプリケーションを優先アプリケーションとして、優先アプリケーションに対応するアイコンが、他のアプリケーションに対応するアイコンよりも優先して表示される形態、もしくは、強調して表示される形態で前記アプリケーション選択メニューを表示することを特徴とするコンピュータプログラム。
【請求項９】
請求項７または８記載のコンピュータプログラムであって、
前記アプリケーション選択メニュー表示部は、前記携帯装置接続検出部が前記携帯装置との接続を検出しているときには、ユーザ操作に応じて順次表示される複数のページから構成された前記アプリケーション選択メニューを生成すると共に、前記優先アプリケーションに対応するアイコンを第１番目に表示される前記ページに配列し、前記優先アプリケーション以外の前記各アプリケーションに対応する各アイコンを、順次、第２番目以降に表示される各ページに配列することを特徴とするコンピュータプログラム。
【請求項１０】
請求項７または８記載のコンピュータプログラムであって、
前記アプリケーション選択メニュー表示部は、前記携帯装置接続検出部が前記携帯装置との接続を検出しているときには、ユーザ操作に応じて順次表示される複数のページから構成された前記アプリケーション選択メニューを生成すると共に、前記優先アプリケーションに対応するアイコンを各ページに設けた所定の領域に共通に配置し、前記優先アプリケーション以外の前記各アプリケーションに対応する各アイコンを、順次、各ページの前記所定の領域以外の領域に配列することを特徴とするコンピュータプログラム。
【請求項１１】
自動車に搭載され、複数のアプリケーションを備えた携帯装置が選択的に接続されるコンピュータによって読み取られ実行されるコンピュータプログラムであって、
当該コンピュータプログラムは、前記コンピュータを、
当該コンピュータの前記携帯装置との接続の有無を検出する携帯装置接続検出部と
当該コンピュータに接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、
前記アプリケーション選択メニュー表示部が選択を受け付けたアイコンに対応するアプリケーションを前記携帯装置に起動させるアプリケーション起動制御部と、
当該コンピュータに前記携帯装置が接続された状態で、当該携帯装置が備える各アプリケーションが使用された程度を表す使用レベルを、各アプリケーション毎に算出する使用レベル算出部として機能させ、
前記アプリケーション選択メニュー表示部は、前記携帯装置接続検出部が前記携帯装置との接続を検出しているときには、前記アプリケーション選択メニューとして、当該コンピュータに接続された前記携帯装置が備える各アプリケーションに対応するアイコンを、対応するアプリケーションの前記使用レベル算出部が算出した前記使用レベルが高い順に配列した前記アプリケーション選択メニューを表示することを特徴とするコンピュータプログラム。
【請求項１２】
請求項１１記載のコンピュータプログラムであって、
前記アプリケーション選択メニュー表示部は、前記携帯装置接続検出部が前記携帯装置との接続を検出しているときには、ユーザ操作に応じて順次表示される複数のページから構成された前記アプリケーション選択メニューを生成すると共に、前記各アプリケーションに対応するアイコンを、前記使用レベル算出部が算出した前記使用レベルが高い順に、順次、各ページに、より使用レベルが高いアプリケーションに対応するアイコンが、より前に表示されるページに配置されるように配列することを特徴とするコンピュータプログラム。
【発明の詳細な説明】
【技術分野】
【０００１】
本発明は、自動車内において、携帯装置のアプリケーションを利用するためのメニューを表示する技術に関するものである。
【背景技術】
【０００２】
自動車内において、携帯装置のアプリケーションを利用する技術としては、携帯端末に接続した車載装置において、携帯端末が備えるアプリケーションを車載装置から利用するための表示画面を表示する技術が知られている（たとえば、特許文献１）。
また、複数のアプリケーションのうちから、起動するアプリケーションを選択するためのメニューを表示する技術としては、アプリケーションの利用頻度に応じた順序で、アプリケーションの識別を配置した一覧を表示し、当該一覧上で起動するアプリケーションの選択を受けつける技術が知られている（例えば、特許文献２）。
【先行技術文献】
【特許文献】
【０００３】
【特許文献１】特表２００８-５２３７４５号公報
【特許文献２】特開２００６-３１３４８６号公報
【発明の概要】
【発明が解決しようとする課題】
【０００４】
ユーザが携帯装置のいずれのアプリケーションを利用するかの利用パターンは、携帯端末のアプリケーションを自動車内で利用する場合と、他の場合とで異なったものとなる。而して、自動車内においては、自動車利用時特有のニーズがユーザに生じるからである。
【０００５】
よって、上述のような、アプリケーションの利用頻度に応じた順序で、アプリケーションの識別を配置しただけの一覧は、自動車内のユーザのニーズに適したアプリケーションが上位に配置された一覧とはならず、自動車内のユーザが自己のニーズに応じてアプリケーションを選択することを必ずしも容易化しない。
【０００６】
そこで、本発明は、自動車内のユーザのニーズに適した形態で、携帯装置のアプリケーションを利用するためのメニューを表示することを課題とする。
【課題を解決するための手段】
【０００７】
前記課題達成のために、本発明は、複数のアプリケーションを備えた携帯装置が選択的に接続される、自動車に搭載された車載装置に、当該車載装置の前記携帯装置との接続の有無を検出する携帯装置接続検出部と、前記自動車の状態を検出する自動車状態検出部と、前記自動車の各状態に対して、当該状態における利用の蓋然性が高い前記アプリケーションとして予め選択した前記アプリケーションを登録したアプリケーション管理テーブルと、当該車載装置に接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、前記アプリケーション選択メニュー表示部が選択を受け付けたアイコンに対応するアプリケーションを前記携帯装置に起動させるアプリケーション起動制御部とを備え、前記アプリケーション選択メニュー表示部において、前記携帯装置接続検出部が前記携帯装置との接続を検出しているときには、前記アプリケーション選択メニューとして、当該車載装置に接続された前記携帯装置が備える各アプリケーションのうちの、前記自動車状態検出部が検出している状態に対して前記アプリケーション管理テーブルに登録されているアプリケーションを優先アプリケーションとして、優先アプリケーションに対応するアイコンが、他のアプリケーションに対応するアイコンよりも優先して表示される形態、もしくは、強調して表示される形態の前記アプリケーション選択メニューを生成するようにしたものである。
【０００８】
また、前記課題達成のために、本発明は、複数のアプリケーションを備えた携帯装置が選択的に接続される、自動車に搭載された車載装置に、当該車載装置の前記携帯装置との接続の有無を検出する携帯装置接続検出部と、当該車載装置に接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、前記アプリケーション選択メニュー表示部が選択を受け付けたアイコンに対応するアプリケーションを前記携帯装置に起動させるアプリケーション起動制御部とを備え、前記アプリケーション選択メニュー表示部において、前記携帯装置接続検出部が前記携帯装置との接続を検出しているときには、前記アプリケーション選択メニューとして、当該車載装置に接続された前記携帯装置が備える各アプリケーションのうちの当該車載装置と連携した動作を行うアプリケーションを優先アプリケーションとして、優先アプリケーションに対応するアイコンが、他のアプリケーションに対応するアイコンよりも優先して表示される形態、もしくは、強調して表示される形態で前記アプリケーション選択メニューを表示するようにしたものである。
【０００９】
ここで、これらの車載装置は、前記アプリケーション選択メニュー表示部において、前記携帯装置接続検出部が前記携帯装置との接続を検出しているときには、ユーザ操作に応じて順次表示される複数のページから構成された前記アプリケーション選択メニューを生成すると共に、前記優先アプリケーションに対応するアイコンを第１番目に表示される前記ページに配列し、前記優先アプリケーション以外の前記各アプリケーションに対応する各アイコンを、順次、第２番目以降に表示される各ページに配列するように構成してもよい。
【００１０】
または、前記アプリケーション選択メニュー表示部において、前記携帯装置接続検出部が前記携帯装置との接続を検出しているときには、ユーザ操作に応じて順次表示される複数のページから構成された前記アプリケーション選択メニューを生成すると共に、前記優先アプリケーションに対応するアイコンを各ページに設けた所定の領域に共通に配置し、前記優先アプリケーション以外の前記各アプリケーションに対応する各アイコンを、順次、各ページの前記所定の領域以外の領域に配列するように構成してもよい。
【００１１】
ここで、さらに、本発明は、前記課題達成のために、複数のアプリケーションを備えた携帯装置が選択的に接続される、自動車に搭載された車載装置に、当該車載装置の前記携帯装置との接続の有無を検出する携帯装置接続検出部と、当該車載装置に接続された前記携帯装置が備える各アプリケーションに対応するアイコンを配列したアプリケーション選択メニューを生成して表示し、前記アプリケーション選択メニュー上でユーザのアイコンの選択を受け付けるアプリケーション選択メニュー表示部と、前記アプリケーション選択メニュー表示部が選択を受け付けたアイコンに対応するアプリケーションを前記携帯装置に起動させるアプリケーション起動制御部と、当該車載装置に前記携帯装置が接続された状態で、当該携帯装置が備える各アプリケーションが使用された程度を表す使用レベルを、各アプリケーション毎に算出する使用レベル算出部とを備え、前記アプリケーション選択メニュー表示部において、前記携帯装置接続検出部が前記携帯装置との接続を検出しているときには、前記アプリケーション選択メニューとして、当該車載装置に接続された前記携帯装置が備える各アプリケーションに対応するアイコンを、対応するアプリケーションの前記使用レベル算出部が算出した前記使用レベルが高い順に配列した前記アプリケーション選択メニューを表示するこようにしたものである。
【００１２】
ここで、このような車載装置は、前記アプリケーション選択メニュー表示部において、前記携帯装置接続検出部が前記携帯装置との接続を検出しているときには、ユーザ操作に応じて順次表示される複数のページから構成された前記アプリケーション選択メニューを生成すると共に、前記各アプリケーションに対応するアイコンを、前記使用レベル算出部が算出した前記使用レベルが高い順に、順次、各ページに、より使用レベルが高いアプリケーションに対応するアイコンが、より前に表示されるページに配置されるように配列するように構成してもよい。
【００１３】
以上のような車載装置によれば、車載装置から携帯装置のアプリケーションを選択して起動するためのアプリケーション選択メニューとして、自動車の現在の状態における利用の蓋然性が高い前記アプリケーションや、車載装置と連携した動作を行うアプリケーションや、車載装置に携帯装置が接続された状態で使用された程度が高いアプリケーションに対応するアイコンが、他のアプリケーションに対応するアイコンよりも優先して表示される形態、もしくは、強調して表示される形態で表されたアプリケーション選択メニューが表示される。
【００１４】
よって、ユーザは、自動車内におけるニーズに適したアプリケーションを、車載装置において容易に選択して起動することができるようになる。
また、前記課題達成のために、本発明は、自動車に搭載された車載装置に選択的に接続される、複数のアプリケーションを備えた携帯装置に、当該携帯装置の前記車載装置との接続の有無を検出する接続検出部と、自動車内における利用の蓋然性が高い前記アプリケーションとして予め選択した前記アプリケーションを登録したアプリケーション属性テーブルと、当該携帯装置が備える各アプリケーションに対応するアイコンを配列したアプリケーションメニューを生成して表示し、前記アプリケーションメニュー上でユーザのアイコンの選択を受け付けるアプリケーションメニュー表示部と、前記アプリケーションメニュー表示部が選択を受け付けたアイコンに対応するアプリケーションを起動するアプリケーション起動部とを備え、前記アプリケーションメニュー表示部において、前記接続検出部が前記車載装置との接続を検出しているときには、前記アプリケーションメニューとして、前記アプリケーション属性テーブルに登録されているアプリケーションを優先アプリケーションとして、優先アプリケーションに対応するアイコンが、他のアプリケーションに対応するアイコンよりも優先して表示される形態、もしくは、強調して表示される形態の前記アプリケーションメニューを生成するようにしたものである。
【００１５】
また、前記課題達成のために、本発明は、自動車に搭載された車載装置に選択的に接続される、複数のアプリケーションを備えた携帯装置に、当該携帯装置の前記車載装置との接続の有無を検出する接続検出部と、当該携帯装置が備える各アプリケーションに対応するアイコンを配列したアプリケーションメニューを生成して表示し、前記アプリケーションメニュー上でユーザのアイコンの選択を受け付けるアプリケーションメニュー表示部と、前記アプリケーションメニュー表示部が選択を受け付けたアイコンに対応するアプリケーションを起動するアプリケーション起動部とを備え、前記アプリケーションメニュー表示部において、前記接続検出部が前記車載装置との接続を検出しているときには、前記アプリケーションメニューとして、当該携帯装置が備える各アプリケーションのうちの前記車載装置と連携した動作を行うアプリケーションを優先アプリケーションとして、優先アプリケーションに対応するアイコンが、他のアプリケーションに対応するアイコンよりも優先して表示される形態、もしくは、強調して表示される形態で前記アプリケーションメニューを表示するようにしたものである。
【００１６】
また、前記課題達成のために、本発明は、自動車に搭載された車載装置に選択的に接続される、複数のアプリケーションを備えた携帯装置に、当該携帯装置の前記車載装置との接続の有無を検出する接続検出部と、前記自動車の各状態に対して、当該状態における利用の蓋然性が高い前記アプリケーションとして予め選択した前記アプリケーションを登録したアプリケーション属性テーブルと、当該携帯装置が備える各アプリケーションに対応するアイコンを配列したアプリケーションメニューを生成して表示し、前記アプリケーションメニュー上でユーザのアイコンの選択を受け付けるアプリケーションメニュー表示部と、前記アプリケーションメニュー表示部が選択を受け付けたアイコンに対応するアプリケーションを起動するアプリケーション起動部とを備え、前記アプリケーションメニュー表示部において、前記接続検出部が前記車載装置との接続を検出しているときには、前記アプリケーションメニューとして、前記携帯装置が備える各アプリケーションのうちの、当該携帯装置が接続した前記自動車の現在の状態に対して前記アプリケーション管理テーブルに登録されているアプリケーションを優先アプリケーションとして、優先アプリケーションに対応するアイコンが、他のアプリケーションに対応するアイコンよりも優先して表示される形態、もしくは、強調して表示される形態の前記アプリケーションメニューを生成するようにしたものである。
【００１７】
ここで、これらのような携帯装置は、前記アプリケーションメニュー表示部において、前記接続検出部が前記車載装置との接続を検出しているときには、ユーザ操作に応じて順次表示される複数のページから構成された前記アプリケーションメニューを生成すると共に、前記優先アプリケーションに対応するアイコンを第１番目に表示される前記ページに配列し、前記優先アプリケーション以外の前記各アプリケーションに対応する各アイコンを、順次、第２番目以降に表示される各ページに配列するように構成してもよい。
【００１８】
または、前記アプリケーションメニュー表示部において、前記接続検出部が前記車載装置との接続を検出しているときには、ユーザ操作に応じて順次表示される複数のページから構成された前記アプリケーションメニューを生成すると共に、前記優先アプリケーションに対応するアイコンを各ページに設けた所定の領域に共通に配置し、前記優先アプリケーション以外の前記各アプリケーションに対応する各アイコンを、順次、各ページの前記所定の領域以外の領域に配列するように構成してもよい。
【００１９】
また、さらに、本発明は、前記課題達成のために、自動車に搭載された車載装置に選択的に接続される、複数のアプリケーションを備えた携帯装置に、当該携帯装置の前記車載装置との接続の有無を検出する接続検出部と、前記接続検出部が前記車載装置との接続を検出している期間中に、当該携帯装置が備える各アプリケーションが使用された程度を表す使用度を、各アプリケーション毎に算出する使用度算出部と、当該携帯装置が備える各アプリケーションに対応するアイコンを配列したアプリケーションメニューを生成して表示し、前記アプリケーションメニュー上でユーザのアイコンの選択を受け付けるアプリケーションメニュー表示部と、前記アプリケーションメニュー表示部が選択を受け付けたアイコンに対応するアプリケーションを起動するアプリケーション起動部とを備え、前記アプリケーションメニュー表示部において前記接続検出部が前記車載装置との接続を検出しているときには、前記アプリケーションニューとして、当該携帯装置が備える各アプリケーションに対応するアイコンを、対応するアプリケーションの前記使用度算出部が算出した前記使用度が高い順に配列した前記アプリケーションメニューを表示するようにしたものである。
【００２０】
ここで、このような携帯装置は、前記アプリケーションメニュー表示部において、前記接続検出部が前記車載装置との接続を検出しているときには、ユーザ操作に応じて順次表示される複数のページから構成された前記アプリケーションメニューを生成すると共に、前記各アプリケーションに対応するアイコンを、前記使用度算出部が算出した前記使用度が高い順に、順次、各ページに、より使用レベルが高いアプリケーションに対応するアイコンが、より前に表示されるページに配置されるように配列するように構成してもよい。
【００２１】
以上のような携帯装置によれば、当該携帯装置が車載装置に接続されているときには、アプリケーションを選択して起動するためのアプリケーションメニューとして、自動車内における利用の蓋然性が高いアプリケーションや、車載装置と連携した動作を行うアプリケーションや、自動車の現在の状態における利用の蓋然性が高い前記アプリケーションや、車載装置に携帯装置が接続された状態で使用された程度が高いアプリケーションに対応するアイコンが、他のアプリケーションに対応するアイコンよりも優先して表示される形態、もしくは、強調して表示される形態で表されたアプリケーションメニューが表示される。
【００２２】
よって、ユーザは、自動車内におけるニーズに適したアプリケーションを、容易に選択して起動することができるようになる。
【発明の効果】
【００２３】
以上のように、本発明によれば、自動車内のユーザのニーズに適した形態で、携帯装置のアプリケーションを利用するためのメニューを表示することができる。
【図面の簡単な説明】
【００２４】
【図１】本発明の第１実施形態に係る車載装置とスマートフォンの構成を示すブロック図である。
【図２】本発明の第１実施形態に係るＳＰ-ＡＰ選択メニュー表示処理を示すフローチャートである。
【図３】本発明の第１実施形態に係るＳＰ-ＡＰ管理テーブルを示す図である。
【図４】本発明の第１実施形態に係るＳＰ-ＡＰ選択メニューを示す図である。
【図５】本発明の第２実施形態に係るＡＰ選択メニュー表示処理を示すフローチャートである。
【図６】本発明の第２実施形態に係るＳＰ-ＡＰ属性テーブルを示す図である。
【図７】本発明の第２実施形態に係るＡＰ選択メニューを示す図である。
【発明を実施するための形態】
【００２５】
以下、本発明の実施形態について、車載装置に接続される携帯装置がスマートフォンである場合を例にとり説明する。
まず、第１の実施形態について説明する。
図１に、本第１実施形態に係る車載装置とスマートフォンの構成を示す。
スマートフォン１は、図示するように、操作部１１、ディスプレイ１２、マイクやスピーカなどを備えた音声入出力部１３、車載装置３と接続するためのホストインタフェース１４、スマートフォン１のＯＳであるところのＳＰ-オペレーティングシステム１５、ＳＰ-オペレーティングシステム１５によって管理されＳＰ-オペレーティングシステム１５上で稼働するアプリケーションであるＳＰ-ＡＰ１６、ＳＰ-ＡＰ属性テーブル１７、移動電話網にアクセスするための無線通信装置１８とを備えている。
【００２６】
ここで、スマートフォン１は、ＳＰ-ＡＰ１６として、移動電話機能を提供する移動電話アプリケーションなどの、複数のアプリケーションを備えている。
次に、車載装置３は、自動車に搭載される装置であり、図示するように、入力装置２１、表示装置２２、マイクやスピーカなどを備えた音声入出力装置２３、デバイスインタフェース２４、車載装置３のＯＳであるところのＨ-オペレーティングシステム２５、Ｈ-オペレーティングシステム２５によって管理されＨ-オペレーティングシステム２５上で稼働するアプリケーションであるＨ-ＡＰ２６、ＳＰ-ＡＰ管理テーブル２７、車両状態検出部２８とを備えている。
【００２７】
ここで、車載装置３の車両状態検出部２８は、自動車のECUや、自動車の各種状態を検出するセンサや、自動車に搭載されているカーナビゲーション装置と接続しており、自動車のエンジンのオン/オフ状態や停車状態や走行状態や、カーナビゲーション装置における目的地設定の発生や、目的地と現在位置との位置関係などの各種状態を車両状態として検出する。また、車載装置３は、Ｈ-ＡＰ２６として、ＳＰ-ＡＰ１６と連携した各種処理、たとえば、入力装置２１と表示装置２２を用いたＳＰ-ＡＰ１６のユーザインタフェース（ＵＩ）の提供を行うアプリケーションや、ＳＰ-ＡＰ１６が処理する情報のＳＰ-ＡＰ１６への送信を行うアプリケーションや、ＳＰ-ＡＰ１６からの情報を受信して処理するアプリケーションなどを備えている。なお、以下では、ＳＰ-ＡＰ１６と連携した処理を行うＨ-ＡＰ２６が存在するＳＰ-ＡＰ１６など、車載装置３と協調して処理を行うＳＰ-ＡＰ１６を車載装置３と連携するＳＰ-ＡＰ１６と称して説明を行う。
【００２８】
また、スマートフォン１のホストインタフェース１４と車載装置３のデバイスインタフェースは、Bluetooth（登録商標）や、WIFI、USBなどにより接続し、相互通信を行うものである。
さて、このような構成において、車載装置３のＨ-オペレーティングシステム２５は、スマートフォン１のＳＰ-ＡＰ１６を選択して起動するためのメニューをユーザに提供するために、ＳＰ-ＡＰメニュー表示処理を行う。
図２に、このＳＰ-ＡＰメニュー表示処理の手順を示す。
図示するように、この処理では、スマートフォン１の車載装置３への接続を監視し（ステップ２０２）、スマートフォン１が車載装置３に接続したならば、スマートフォン１からＳＰ-ＡＰリストを取得する（ステップ２０４）。ＳＰ-ＡＰリストは、スマートフォン１が有する全てのＳＰ-ＡＰ１６の情報のリストであり、個々のＳＰ-ＡＰ１６の情報としては、ＳＰ-ＡＰ１６の名称や識別子、ＳＰ-ＡＰ１６を表すアイコンであるアイコンの画像データなどが含まれる。また、このＳＰ-ＡＰリストは、車載装置３のＨ-オペレーティングシステム２５の要求に応えて、スマートフォン１のＳＰ-オペレーティングシステム１５から、車載装置３のＨ-オペレーティングシステム２５に送信される。
【００２９】
次に、このようにしてＳＰ-ＡＰリストを取得したならば、ＳＰ-ＡＰ管理テーブル２７を参照して各ＳＰ-ＡＰ１６の優先度を設定する（ステップ２０６）と共に、アイコンを配列したページを１または複数ページ含むＳＰ-ＡＰメニューの各ページを、設定した優先度が高いＳＰ-ＡＰ１６のアイコンが他のアイコンよりも優先して表示されるように構成する（ステップ２０８）。
【００３０】
ここで、このステップ２０６と２０８の詳細については後述する。
そして、入力装置２１を用いたユーザ操作によるＳＰ-ＡＰメニューの呼出の発生（ステップ２１０）とスマートフォン１の車載装置３からの切断（ステップ２１２）とを監視し、ＳＰ-ＡＰメニューの呼出が発生したならば（ステップ２１０）、ＳＰ-ＡＰメニューの第１ページを表示装置２２に表示する（ステップ２１４）。
【００３１】
そして、ＳＰ-ＡＰメニューの第１ページを表示装置２２に表示したならば（ステップ２１４）、ユーザの入力装置２１を用いた、ＳＰ-ＡＰメニューのページ切替操作の発生（ステップ２１６）と、ユーザの入力装置２１を用いた、ＳＰ-ＡＰメニューの表示中のページに含まれるアイコンの選択操作の発生（ステップ２１８）と、スマートフォン１の車載装置３からの切断（ステップ２２０）とを監視する。
【００３２】
そして、ＳＰ-ＡＰメニューのページ切替操作が発生した場合には（ステップ２１６）、表示するＳＰ-ＡＰメニューのページを、ページ切替操作の操作内容に応じて前ページまたは次ページに切り替え（ステップ２２２）、ステップ２１６-２２０の監視に戻る。一方、アイコンの選択操作が発生した場合には（ステップ２１８）、選択されたアイコンに対応するＳＰ-ＡＰ１６を起動対象としてＳＰ-ＡＰ起動処理を呼び出し（ステップ２２４）、ＳＰ-ＡＰメニューの表示を消去し（ステップ２２６）、ステップ２１０に戻る。ここで、ＳＰ-ＡＰ起動処理とは、スマートフォン１のＳＰ-オペレーティングシステム１５に、起動対象のＳＰ-ＡＰ１６の起動を要求すると共に、起動対象のＳＰ-ＡＰ１６と連携するＨ-ＡＰ２６が存在する場合には、そのＨ-ＡＰ２６を起動する処理であり、起動を要求されたスマートフォン１のＳＰ-オペレーティングシステム１５は、起動を要求されたＳＰ-ＡＰ１６を起動する。
【００３３】
なお、ＳＰ-ＡＰ１６と連携するＨ-ＡＰ２６がＳＰ-ＡＰ１６のＵＩを構成する表示画面を表示するものである場合には、以上の処理によって、当該ＳＰ-ＡＰ１６の起動に伴い表示装置２２の表示は、ＳＰ-ＡＰメニューの表示から、起動されたＳＰ-ＡＰ１６のＵＩに切り替わることとなる。なお、ステップ２２４で起動するＳＰ-ＡＰ１６が、車載装置３と連携するＳＰ-ＡＰ１６でない場合には、ステップ２２６のＳＰ-ＡＰメニューの表示を消去する処理を行わずに、２１６-２２０の監視に戻るように当該ＳＰ-ＡＰメニュー表示処理は構成してもよい。
【００３４】
一方、スマートフォン１の車載装置３からの切断（ステップ２１２またはステップ２２０）が発生した場合には、ステップ２０２からの処理に戻る。
以上、ＳＰ-ＡＰメニュー表示処理の手順について説明した。
以下、上述したように、このようなＳＰ-ＡＰメニュー表示処理のステップ２０６で行う各ＳＰ-ＡＰ１６の優先度の設定と、ステップ２０８で行うＳＰ-ＡＰメニューの各ページの構成の詳細について説明する。
以下に、ＳＰ-ＡＰ１６の優先度の設定とＳＰ-ＡＰメニューの各ページの構成の例を示す。
まず、ＳＰ-ＡＰ１６の優先度の設定とＳＰ-ＡＰメニューの各ページの構成の第１の例について説明する。
第１の例では、図３ａに示すように、予め、ＳＰ-ＡＰ管理テーブル２７に、スマートフォン１が備える、または、スマートフォン１が備える可能性のある各ＳＰ-ＡＰ１６について、ＳＰ-ＡＰ１６の名称などの識別子と、ＳＰ-ＡＰ１６が車載装置３と連携するＳＰ-ＡＰ１６であるかどうかの有無を登録するようにする。
【００３５】
そして、ステップ２０６では、ステップ２０４で取得したＳＰ-ＡＰリストに情報が含まれるＳＰ-ＡＰ１６のうち、ＳＰ-ＡＰ管理テーブル２７に、車載装置３と連携するＳＰ-ＡＰ１６であることが登録されているＳＰ-ＡＰ１６を優先度の高いＳＰ-ＡＰ１６、他のＳＰ-ＡＰ１６を優先度の低いＳＰ-ＡＰ１６とする。
【００３６】
そして、ステップ２０８では、図４ａに示すように、ＳＰ-ＡＰメニューの第１ページに優先度の高いＳＰ-ＡＰ１６のアイコンを配列し、第２ページ以降に優先度の低いＳＰ-ＡＰ１６のアイコンを順次配列して、ＳＰ-ＡＰメニューを構成する。
または、ステップ２０８では、図４ｂに示すように、ＳＰ-ＡＰメニューの各ページの左部に設けた領域４１０に、優先度の高いＳＰ-ＡＰ１６のアイコンを共通に配列し、各ページの右部の領域４２０に、優先度の低いＳＰ-ＡＰ１６のアイコンを順次配列して、ＳＰ-ＡＰメニューを構成する。
【００３７】
なお、図４ａ、ｂでは、「Ｒ」、「Ｓ」、「Ｐ」のアイコンが、優先度の高いＳＰ-ＡＰ１６であり、他のアイコンが優先度の低いＳＰ-ＡＰ１６のアイコンである。
次に、ＳＰ-ＡＰ１６の優先度の設定とＳＰ-ＡＰメニューの各ページの構成の第２の例について示す。
すなわち、第２の例では、図３ｂに示すように、予め、ＳＰ-ＡＰ管理テーブル２７に、自動車の各状況毎に、スマートフォン１が備える、または、スマートフォン１が備える可能性のある各ＳＰ-ＡＰ１６について、ＳＰ-ＡＰ１６の名称などの識別子と、ＳＰ-ＡＰ１６がその状況において利用される蓋然性があるＳＰ-ＡＰ１６であるか否かを表す自動車状況適合有無を登録する。
【００３８】
ここで、自動車状況としては、発進前、走行中、停車中、駐車中、出発時、目的地周辺走行中、目的地到着などの状況を用いる。ここで、たとえば、発進前は、スマートフォン接続時から自動車の走行開始までの期間を発進前の状況にある期間とすることにより判定し、出発時はカーナビゲーション装置における目的地設定の発生から走行開始までの期間を出発時の状況にある期間とすることにより判定する。また、停車中は非走行中かつエンジンオンの状況として、駐車中は非走行中かつエンジンオフの状況として検出する。
【００３９】
また、各状況において利用される蓋然性のあるＳＰ-ＡＰ１６としては、発進前の状況においてはナビゲーションアプリケーションなどが、走行中の状況においては現在位置周辺のガソリンスタンドの案内を行うアプリケーションなどが、停車中や駐車中の状況においてはメールアプリケーションなどが、出発時の状況においては天気予報を提供するアプリケーションなどが、目的地周辺走行中の状況においては現在位置周辺の駐車場の案内を行うアプリケーションなどが、目的地到着の状況においては周辺の名所などの案内を行うアプリケーションや自動車の燃費の計算や管理を行うアプリケーションなどが該当する。
【００４０】
そして、ステップ２０６では、自動車状態検出部が検出した車両状態から自動車状況を判定し、ステップ２０４で取得したＳＰ-ＡＰリストに情報が含まれるＳＰ-ＡＰ１６のうち、ＳＰ-ＡＰ管理テーブル２７に、判定した自動車状況おいて、利用される蓋然性があるＳＰ-ＡＰ１６であることが登録されているＳＰ-ＡＰ１６を優先度の高いＳＰ-ＡＰ１６、他のＳＰ-ＡＰ１６を優先度の低いＳＰ-ＡＰ１６とする。
【００４１】
そして、ステップ２０８では、第１の例と同様に、ＳＰ-ＡＰメニューの各ページを、図４ａ、ｂに示すように構成する。
次に、ＳＰ-ＡＰ１６の優先度の設定とＳＰ-ＡＰメニューの各ページの構成の第３の例について示す。
すなわち、第３の例では、図３ｃに示すように、ＳＰ-ＡＰ管理テーブル２７において、各ＳＰ-ＡＰ１６の、車載装置３とスマートフォン１が接続されている状態における使用レベルを管理する。使用レベルとしては、過去所定期間内に、車載装置３とスマートフォン１が接続されている状態においてＳＰ-ＡＰ１６が起動された回数、過去所定期間内におけるＳＰ-ＡＰ１６の利用時間（ＳＰ-ＡＰ１６が起動されてから終了するまでの時間）などを用いる。ここで、このような使用レベルの算出や、ＳＰ-ＡＰ管理テーブル２７への登録は、車載装置３のＨ-オペレーティングシステム２５が行う。使用レベルの算出は、スマートフォン１のＳＰ-オペレーティングシステム１５がスマートフォン１における各ＳＰ-ＡＰ１６の起動/終了の発生を、Ｈ-オペレーティングシステム２５に通知し、Ｈ-オペレーティングシステム２５において当該通知に基づいて各ＳＰ-ＡＰ１６の使用レベルを算出することにより行うようにしてもよいし、車載装置３のＨ-オペレーティングシステム２５やＨ-ＡＰ２６による、スマートフォン１のスマートフォン１における各ＳＰ-ＡＰ１６の起動/終了の制御の発生に基づいて各ＳＰ-ＡＰ１６の使用レベルを算出することにより行うようにしてもよい。
【００４２】
そして、ステップ２０６では、使用レベルが大きいほど、優先度が高くなるように各ＳＰ-ＡＰ１６の優先度を設定する。本実施形態では、使用レベルの最も大きい３つのＳＰ-ＡＰ１６に第１優先度を設定し、使用レベルがその次に大きい８個のＳＰ-ＡＰ１６に第１優先度よりも低い第２優先度を設定し、他のＳＰ-ＡＰ１６に第２優先度よりも低い第３優先度を設定する。
【００４３】
そして、ステップ２０８では、図４ｃに示すように、ＳＰ-ＡＰメニューの第１ページに第１優先度のＳＰ-ＡＰ１６のアイコンを配列し、第２ページに第２優先度のＳＰ-ＡＰ１６のアイコンを配列し、第３ページ以降の各ページに、第３優先度のＳＰ-ＡＰ１６のアイコンを順次配列して、ＳＰ-ＡＰメニューを構成する。なお、図４ｃでは、「Ｒ」、「Ｓ」、「Ｐ」のアイコンが、第１優先度のＳＰ-ＡＰ１６であり、「Ａ」、「Ｗ」、「Ｔ」、「Ｇ」、「Ｑ」、「Ｍ」、「Ｋ」、「Ｆ」のアイコンが、第２優先度のＳＰ-ＡＰ１６であり、他のアイコンが第３優先度のＳＰ-ＡＰ１６のアイコンである。
【００４４】
なお、図４ａ、ｂ、ｃのＳＰ-ＡＰメニューの各ページにある「他ＡＰ」ボタン４０１は、ユーザからのページ切替操作を受け付けるためのボタンであり、「他ＡＰ」ボタン４０１が操作されると、表示されるページが、一つ次のページに切り替わることになる。また、図４ａ、ｂ、ｃに示したように、ＳＰ-ＡＰメニューの各ページにおいて、各アイコンの下に、当該アイコンのＳＰ-ＡＰ１６の名称を表示するようにしてもよい。
【００４５】
以上、本発明の第１実施形態について説明した。
ところで、以上の第１実施形態では、設定した優先度が高いＳＰ-ＡＰ１６のアイコンを配置する位置を操作することにより、当該優先度が高いＳＰ-ＡＰ１６のアイコンが他のアイコンよりも優先して表示されるようにＳＰ-ＡＰメニューを構成したが、これに代えて、設定した優先度が高いＳＰ-ＡＰ１６のアイコンのサイズや表示色やＳＰ-ＡＰ１６の名称表示の色やサイズやフォントを、他のＳＰ-ＡＰ１６のものと異ならせることにより、設定した優先度が高いＳＰ-ＡＰ１６のアイコンが他のＳＰ-ＡＰ１６のアイコンよりも強調されて表示されるようにＳＰ-ＡＰメニューを構成するようにしてもよい。
【００４６】
以下、本発明の第２の実施形態について説明する。
本第２実施形態に係る車載装置３とスマートフォン１の構成は、図１に示した第１実施形態に係る構成と同様である。
図５に、本第２実施形態において、スマートフォン１のＳＰ-オペレーティングシステム１５が、ＳＰ-ＡＰ１６を選択して起動するためのメニューをユーザに提供するために行うＡＰメニュー表示処理の手順を示す。
図示するように、この処理では、まず、スマートフォン１が車載装置３に接続されているかどうかを調べる（ステップ５０２）。
そして、接続されていない場合には（ステップ５０２）、アイコンを配列したページを１または複数ページ含むＡＰメニューの各ページを、所定の順序でアイコンが各ページに配列されるように構成し（ステップ５１２）、ステップ５０８に進む。
一方、スマートフォン１が車載装置３に接続されている場合には（ステップ５０２）、ＳＰ-ＡＰ属性テーブル１７を参照して各ＳＰ-ＡＰ１６の優先度を設定する（ステップ５０４）と共に、アイコンを配列したページを１または複数ページ含むＡＰメニューの各ページを、設定した優先度が高いＳＰ-ＡＰ１６のアイコンが他のアイコンよりも優先して表示されるように構成する（ステップ５０６）。そして、ステップ５０８に進む。
【００４７】
ここで、このステップ５０４と５０６の詳細については後述する。
そして、このようにしてステップ５０８に進んだならば、ＡＰメニューの呼出の発生（ステップ５０８）とスマートフォン１の車載装置３との接続状態（接続中/非接続中）の変化（ステップ５１０）とを監視し、ＡＰメニューの呼出が発生したならば（ステップ５０８）、ＡＰメニューの第１ページをディスプレイ１２に表示する（ステップ５１４）。ここで、ＡＰメニューの呼出は、スマートフォン１の起動時に発生する他、操作部１１を用いたユーザのＡＰメニューの呼び出し操作によって発生する。
【００４８】
そして、ＡＰメニューの第１ページをディスプレイ１２に表示したならば（ステップ５１４）、ユーザの操作部１１を用いた、ＡＰメニューのページ切替操作の発生（ステップ５１６）と、ユーザの操作部１１を用いた、ＡＰメニューの表示中のページに含まれるアイコンの選択操作の発生（ステップ５１８）とを監視する。
【００４９】
そして、ＡＰメニューのページ切替操作が発生した場合には（ステップ５１６）、表示するＡＰメニューのページを、ページ切替操作の操作内容に応じて前ページまたは次ページに切り替え（ステップ５２０）、ステップ５１６-５１８の監視に戻る。一方、アイコンの選択操作が発生した場合には（ステップ５１８）、選択されたアイコンに対応するＳＰ-ＡＰ１６を起動し（ステップ５２２）、ＡＰメニューの表示を消去し（ステップ５２４）、ステップ５０８に戻る。ここで、ＳＰ-ＡＰ１６の起動に伴いディスプレイ１２の表示は、ＡＰメニューの表示から、起動されたＳＰ-ＡＰ１６のＵＩを構成する表示画面に切り替わることとなる。
【００５０】
一方、スマートフォン１の車載装置３との接続状態の変化が発生した場合には（ステップ５１０）、ステップ５０２からの処理に戻る。
以上、ＡＰメニュー表示処理の手順について説明した。
ここで、スマートフォン１が車載装置３に接続されていない場合にステップ５１２で構成するＡＰメニューの構成を図７ａに示す。
図示するように、ＡＰメニューは、１または複数のページから構成され、各ページは、下部に固定的に設けられた領域であるドック７１０と、ドック７１０の上方に設けた領域であるメニュー領域７２０とを有する。そして、各ページのドック７１０には、予めユーザが選択したＳＰ-ＡＰ１６のアイコン（図では、「Ｘ」、「Ｙ」、「Ｚ」のアイコン）を共通に配列し、各ページのメニュー領域７２０に、その他のＳＰ-ＡＰ１６のアイコンを順次配列して、ＡＰメニューを構成する。なお、ステップ５１６では、操作部１１を用いた左右方向へのスクロール操作を、ＡＰメニューのページ切替操作として受け付ける。
【００５１】
以下、上述したように、このようなＡＰメニュー表示処理のステップ５０４で行う各ＳＰ-ＡＰ１６の優先度の設定と、ステップ５０６で行うＡＰメニューの各ページの構成の詳細について説明する。
以下に、ＳＰ-ＡＰ１６の優先度の設定とＡＰメニューの各ページの構成の例を示す。
まず、ＳＰ-ＡＰ１６の優先度の設定とＡＰメニューの各ページの構成の第１の例について説明する。
第１の例では、図６ａに示すように、予め、ＳＰ-ＡＰ属性テーブル１７に、スマートフォン１が備える各ＳＰ-ＡＰ１６について、ＳＰ-ＡＰ１６の名称などの識別子と、ＳＰ-ＡＰ１６が車載装置３と連携するＳＰ-ＡＰ１６であるかどうかの有無を登録するようにする。
そして、ステップ５０４では、ＳＰ-ＡＰ属性テーブル１７に、車載装置３と連携するＳＰ-ＡＰ１６であることが登録されているＳＰ-ＡＰ１６を優先度の高いＳＰ-ＡＰ１６、他のＳＰ-ＡＰ１６を優先度の低いＳＰ-ＡＰ１６とする。
そして、ステップ５０６では、図７ｂに示すように、ＡＰメニューの第１ページのメニュー領域７２０に優先度の高いＳＰ-ＡＰ１６のアイコンを配列し、第２ページ以降のメニュー領域７２０に、ドック７１０に配置したアイコン以外の、優先度の低いＳＰ-ＡＰ１６のアイコンを順次配列して、ＡＰメニューを構成する。なお、各ページのドック７１０には、予めユーザが選択したＳＰ-ＡＰ１６のアイコン（図では、「Ｘ」、「Ｙ」、「Ｚ」のアイコン）を共通に配列する。
【００５２】
または、ステップ５０６では、図７ｃ示すように、各ページのドック７１０に、優先度の高いＳＰ-ＡＰ１６のアイコンを共通に配列し、各ページのメニュー領域７２０に、優先度の低いＳＰ-ＡＰ１６のアイコンを順次配列して、ＡＰメニューを構成する。
なお、図７ｂ、ｃでは、「Ｒ」、「Ｓ」、「Ｐ」のアイコンが、優先度の高いＳＰ-ＡＰ１６であり、他のアイコンが優先度の低いＳＰ-ＡＰ１６のアイコンである。
次に、ＳＰ-ＡＰ１６の優先度の設定とＡＰメニューの各ページの構成の第２の例について示す。
すなわち、第２の例では、図６ｂに示すように、予め、ＳＰ-ＡＰ属性テーブル１７に、スマートフォン１が備える各ＳＰ-ＡＰ１６について、ＳＰ-ＡＰ１６の名称などの識別子と、ＳＰ-ＡＰ１６が自動車内において利用される蓋然性の高いＳＰ-ＡＰ１６であるかどうかの有無を登録するようにする。ＳＰ-ＡＰ１６が自動車内において利用される蓋然性の高いＳＰ-ＡＰ１６としては、たとえば、ナビゲーションアプリケーションや、ガソリンスタンドの案内を行うアプリケーションや、駐車場の案内を行うアプリケーション、や自動車の燃費の計算や管理を行うアプリケーションなどが該当する。
【００５３】
そして、ステップ５０４では、ＳＰ-ＡＰ属性テーブル１７に、自動車内において利用される蓋然性の高いＳＰ-ＡＰ１６であることが登録されているＳＰ-ＡＰ１６を優先度の高いＳＰ-ＡＰ１６、他のＳＰ-ＡＰ１６を優先度の低いＳＰ-ＡＰ１６とする。
そして、ステップ５０６では、第１の例と同様に、ＡＰメニューの各ページを、図７ｂ、ｃに示すように構成する。
次に、ＳＰ-ＡＰ１６の優先度の設定とＡＰメニューの各ページの構成の第３の例について示す。
第３の例では、図６ｃに示すように、予め、ＳＰ-ＡＰ属性テーブル１７に、自動車の各状況毎に、スマートフォン１が備える、または、スマートフォン１が備える可能性のある各ＳＰ-ＡＰ１６について、ＳＰ-ＡＰ１６の名称などの識別子と、ＳＰ-ＡＰ１６がその状況において利用される蓋然性があるＳＰ-ＡＰ１６であるか否かを表す自動車状況適合有無を登録する。ここで、自動車状況としては、前記第１実施形態と同様の状況を用いる。発進前、走行中、停車中、駐車中、出発時、目的地周辺走行中、目的地到着などの状況を用いる。
【００５４】
そして、ステップ５０４では、現在の自動車状況を判定し、ＳＰ-ＡＰ属性テーブル１７に、判定した自動車状況おいて、利用される蓋然性があるＳＰ-ＡＰ１６であることが登録されているＳＰ-ＡＰ１６を優先度の高いＳＰ-ＡＰ１６、他のＳＰ-ＡＰ１６を優先度の低いＳＰ-ＡＰ１６とする。ここで、現在の自動車状況は、車載装置３のＨ-オペレーティングシステム２５を介して車載装置の車両状態検出部２８が検出した車両状態を取得し、取得した車両状態に応じて判定する。または、スマートフォン１が備えるＧＰＳ機能などの現在位置や移動中の有無を算出できる現在位置算出機能や、スマートフォン１が備えるナビゲーションアプリケーションにおける目的地設定の発生や、当該ナビゲーションアプリケーションが検出する目的地と現在位置との位置関係に応じて、現在の自動車状況を判定するようにしてもよい。
【００５５】
そして、ステップ５０６では、第１の例と同様に、ＡＰメニューの各ページを、図７ｂ、ｃに示すように構成する。
次に、ＳＰ-ＡＰ１６の優先度の設定とＡＰメニューの各ページの構成の第４の例について示す。
すなわち、第４の例では、図６ｄに示すように、ＳＰ-ＡＰ属性テーブル１７において、各ＳＰ-ＡＰ１６の、スマートフォン１が車載装置３と接続されている状態における使用レベルを管理する。使用レベルとしては、過去所定期間内に、車載装置３とスマートフォン１が接続されている状態においてＳＰ-ＡＰ１６が起動された回数、過去所定期間内におけるＳＰ-ＡＰ１６の利用時間（ＳＰ-ＡＰ１６が起動されてから終了するまでの時間）などを用いる。ここで、このような使用レベルの算出や、ＳＰ-ＡＰ属性テーブル１７への登録は、スマートフォン１のＳＰ-オペレーティングシステム１５が、当該ＳＰ-オペレーティングシステム１５上におけるＳＰ-ＡＰ１６の実行実績に応じて算出する。
【００５６】
そして、ステップ５０４では、使用レベルが大きいほど、優先度が高くなるように各ＳＰ-ＡＰ１６の優先度を設定する。本実施形態では、使用レベルの最も大きい３つのＳＰ-ＡＰ１６に第１優先度を設定し、使用レベルがその次に大きい１２個のＳＰ-ＡＰ１６に第１優先度よりも低い第２優先度を設定し、他のＳＰ-ＡＰ１６に第２優先度よりも低い第３優先度を設定する。
【００５７】
そして、ステップ５０６では、図７ｄに示すように、ＡＰメニューの第１ページのメニュー領域７２０に第１優先度のＳＰ-ＡＰ１６のアイコンを配列し、第２ページのメニュー領域７２０に第２優先度のＳＰ-ＡＰ１６のアイコンを配列し、第３ページ以降の各ページのメニュー領域７２０に、第３優先度のＳＰ-ＡＰ１６のアイコンを順次配列して、ＡＰメニューを構成する。なお、各ページのドック７１０には、予めユーザが選択したＳＰ-ＡＰ１６のアイコン（図では、「Ｘ」、「Ｙ」、「Ｚ」のアイコン）を共通に配列する。
【００５８】
なお、図７ｄでは、「Ｒ」、「Ｓ」、「Ｐ」のアイコンが、第１優先度のＳＰ-ＡＰ１６のアイコンであり、「Ａ」、「Ｂ」、「Ｅ」、「Ｆ」、「Ｇ」、「Ｈ」、「Ｊ」、「Ｋ」、「Ｌ」、「Ｍ」、「Ｎ」、「Ｑ」のアイコンが、第２優先度のＳＰ-ＡＰ１６のアイコンであり、他のアイコンが第３優先度のＳＰ-ＡＰ１６のアイコンである。
【００５９】
なお、図７ａ、ｂ、ｃ、に示したように、ＡＰメニューの各ページにおいて、各アイコンの下に、当該アイコンのＳＰ-ＡＰ１６の名称７３０を表示するようにしてもよい。
以上、本発明の第２実施形態について説明した。
ところで、以上の第２実施形態では、設定した優先度が高いＳＰ-ＡＰ１６のアイコンを配置する位置を操作することにより、当該優先度が高いＳＰ-ＡＰ１６のアイコンが他のアイコンよりも優先して表示されるようにＡＰメニューを構成したが、これに代えて、設定した優先度が高いＳＰ-ＡＰ１６のアイコンのサイズや表示色やＳＰ-ＡＰ１６の名称表示の色やサイズやフォントを、他のＳＰ-ＡＰ１６のものと異ならせることにより、設定した優先度が高いＳＰ-ＡＰ１６のアイコンが他のＳＰ-ＡＰ１６のアイコンよりも強調されて表示されるようにＡＰメニューを構成するようにしてもよい。
【符号の説明】
【００６０】
１…スマートフォン、３…車載装置、１１…操作部、１２…ディスプレイ、１３…音声入出力部、１４…ホストインタフェース、１５…ＳＰ-オペレーティングシステム、１６…ＳＰ-ＡＰ、１７…ＳＰ-ＡＰ属性テーブル、１８…無線通信装置、２１…入力装置、２２…表示装置、２３…音声入出力装置、２４…デバイスインタフェース、２５…Ｈ-オペレーティングシステム、２６…Ｈ-ＡＰ、２７…ＳＰ-ＡＰ管理テーブル、２８…車両状態検出部。
【図１】
0005607487.tif 000002
【図２】
0005607487.tif 000003
【図３】
0005607487.tif 000004
【図４】
0005607487.tif 000005
【図５】
0005607487.tif 000006
【図６】
0005607487.tif 000007
【図７】
0005607487.tif 000008